(57)【要約】【課題】直線状の刃先を刃元側に移動させて引切りができるハサミを提供する。【解決手段】ハサミ１を、直線状の刃先を有し、閉状態において切先の位置を合わせて刃先同士を当接させた第一刃部材１１ａ及び第二刃部材１２と、第一刃部材１１ａに設けられた第一軸３１と、第一刃部材１１ａに第一軸３１と刃先からの距離が等しく、且つ刃元寄りに設けられた第二軸３２と、第二刃部材１２に、第一軸３１よりも刃元寄りに設けられた第三軸３３と、第二刃部材１２に、第二軸３２よりも刃元寄りで、第二軸３２からの距離が第一軸３１及び第三軸３３間の距離と等しく、且つ第三軸３３と刃先からの距離が等しく設けられた第四軸３４と、第一刃部材１１ａに取付けられた第一把持部材２１ａと、第一軸３１と第三軸３３とに軸支される連結部４０を有する第二把持部材２２と、第二軸３２と第四軸３４とに軸支された第一連結部材４１とを具備する構成とする。【選択図】図１
2016135206.tif 000002
【特許請求の範囲】
【請求項１】
直線状の刃先を有する第一刃部材と、
直線状の刃先を有すると共に、閉状態において前記第一刃部材と切先の位置を合わせて刃先同士が当接する第二刃部材と、
前記第一刃部材に設けられた第一軸と、
前記第一刃部材に、前記第一軸と刃先からの距離が等しく、且つ刃元寄りに設けられた第二軸と、
前記第二刃部材に、前記閉状態において前記第一軸よりも刃元寄りに設けられた第三軸と、
前記第二刃部材に、前記閉状態において前記第二軸よりも刃元寄りで、前記第二軸からの距離が前記第一軸及び前記第三軸間の距離と等しく、且つ前記第三軸と刃先からの距離が等しく設けられた第四軸と、
前記第一刃部材に固定されていると共に、刃元側に延びている第一把持部材と、
前記第一軸と前記第三軸とに軸支される連結部を有し、前記第二刃部材の刃元側に延びている第二把持部材と、
前記第二軸と前記第四軸とに軸支された第一連結部材と
を具備することを特徴とするハサミ。
【請求項２】
前記第一把持部材は、前記第一刃部材と別体から成ると共に、前記第二軸に軸支されており、
前記第一把持部材に、前記閉状態において前記第二軸と前記第三軸を結ぶ直線よりも切先寄りに設けられた第五軸と、
該第五軸と前記第三軸に軸支された第二連結部材と
を具備することを特徴とする請求項１に記載のハサミ。
【請求項３】
前記第二刃部材に、前記第二軸からの距離が前記第一軸及び前記第三軸間の距離と等しく、且つ前記閉状態において前記第二軸を通り刃先と直交する直線よりも刃元寄りで、前記第四軸よりも切先寄りに設けられた第六軸を具備し、
前記第一連結部材が前記第二軸及び前記第四軸に軸支される場合と、前記第二軸及び前記第六軸に軸支される場合とに変更可能である
ことを特徴とする請求項１または請求項２に記載のハサミ。
【発明の詳細な説明】
【技術分野】
【０００１】
本発明は、ハサミに関するものである。
【背景技術】
【０００２】
包丁などの刃物の切り方として、刃先を対象物に切り込ませる際に、刃先を刃元側に移動させながら対象物を切る引切りがある。引切りは、対象物に切込む刃先の角度を小さくして小さな力で切断することができる。このため、引切りの際の刃先の動きを応用したハサミが提案されている。特許文献１のハサミは、曲線状の刃先を有する切刃と受刃の刃元を支点軸が軸支しているものであり、受刃が支点軸からずれて設けられている。これにより、受刃と切刃を閉じる際に、受刃が切刃に対して刃元側に移動するように回動する。
【０００３】
しかしながら、上記のハサミは、切刃と受刃が支点軸を中心として回動する機構は従来のハサミと同様である。つまり、包丁などの刃物で引切りをする場合のように、直線状の刃先を刃元側へスライドさせて引切りができるハサミは従来無かった。
【先行技術文献】
【特許文献】
【０００４】
【特許文献１】特開平９−６５７６３号公報
【発明の概要】
【発明が解決しようとする課題】
【０００５】
そこで、本発明は、上記の実情に鑑み、直線状の刃先を刃元側に移動させて引切りができるハサミの提供を課題とするものである。
【課題を解決するための手段】
【０００６】
請求項１の発明にかかるハサミは、
「直線状の刃先を有する第一刃部材と、
直線状の刃先を有すると共に、閉状態において前記第一刃部材と切先の位置を合わせて刃先同士が当接する第二刃部材と、
前記第一刃部材に設けられた第一軸と、
前記第一刃部材に、前記第一軸と刃先からの距離が等しく、且つ刃元寄りに設けられた第二軸と、
前記第二刃部材に、前記閉状態において前記第一軸よりも刃元寄りに設けられた第三軸と、
前記第二刃部材に、前記閉状態において前記第二軸よりも刃元寄りで、前記第二軸からの距離が前記第一軸及び前記第三軸間の距離と等しく、且つ前記第三軸と刃先からの距離が等しく設けられた第四軸と、
前記第一刃部材に固定されていると共に、刃元側に延びている第一把持部材と、
前記第一軸と前記第三軸とに軸支される連結部を有し、前記第二刃部材の刃元側に延びている第二把持部材と、
前記第二軸と前記第四軸とに軸支された第一連結部材とを具備する」ものである。
【０００７】
ここでは、「第一刃部材」及び「第二刃部材」の刃が形成されている端部を「刃先」、刃先の延びた先で鋭利になった端部を「切先」、「切先」とは反対側の端部を「刃元」と称する。
【０００８】
本構成のハサミは、閉状態において、第一軸と第三軸とを結ぶ直線が第二軸と第四軸を結ぶ直線と平行であると共に、それぞれの直線の長さが等しい。つまり、第一軸乃至第四軸は、平行四辺形の頂点に位置している。また、第一軸と第三軸とを結ぶ直線と第二軸と第四軸とを結ぶ直線はそれぞれ刃先に対して斜交している。上記の構成により、第一把持部と第二把持部を互いに離隔させる（開く）と、第二把持部材の連結部により第一軸と連結された第三軸が第一軸を回動中心として切先側へ回動する。これと同時に、第一連結部材により第二軸と連結された第四軸が第二軸を回動中心として切先側へ回動する。従って、第三軸と第四軸とが設けられている第二刃部材の刃先が、第一刃部材の刃先に対して平行状態を維持しつつ切先側へ移動すると共に離隔する。第一把持部材と第二把持部材を接近させる（閉じる）と、開く場合と逆動作で第二刃部材の刃先が第一刃部材の刃先に対して平行状態を維持しつつ刃元側へ移動すると共に接近する。従って、本構成のハサミは、開状態とした第一刃部材と第二刃部材の刃先間に対象物を位置させて第一把持部材と第二把持部材を閉じることにより、引切りをすることができる。
【０００９】
請求項２の発明にかかるハサミは、上記構成に加えて
「前記第一把持部材は、前記第一刃部材と別体から成ると共に、前記第二軸に軸支されており、
前記第一把持部材に、前記閉状態において前記第二軸と前記第三軸を結ぶ直線よりも切先寄りに設けられた第五軸と、
該第五軸と前記第三軸に軸支された第二連結部材とを具備する」ものである。
【００１０】
本構成のハサミは、第一把持部材が第一刃部材と別体であり、第二軸に軸支されている。また、第三軸と第一把持部材に設けられた第五軸とに軸支された第二連結部材を具備している。本構成のハサミの第一把持部材と第二把持部材とを開くと、第一把持部材は第二軸を回動中心として回動し、第二把持部材は第一軸を回動中心として回動する。つまり、請求項１と同様に、連結部に連結された第三軸が切先側に回動すると同時に、第一連結部材に連結された第四軸が第二軸を回動中心として切先側へ回動する。第一把持部材と第二把持部材とを閉じる場合は、開く場合と逆動作となる。従って、本構成のハサミは請求項１と同様に、第二刃部材の刃先を第一刃部材の刃先に対して平行状態を維持しつつ開閉させることができ、引切りをすることができる。
【００１１】
また、本構成のハサミの第一把持部材と第二把持部材とを開くと、第一把持部材に設けられた第五軸が第二刃部材側に回動し、第二連結部材により第五軸と連結されていると共に、連結部により第一軸と連結されている第三軸が切先側に回動する。つまり、第二把持部材が第一把持部材から離隔する。一方、第二把持部材は第一軸を回動中心として回動することにより、第三軸が切先側に回動し、第二連結部材により第三軸と連結された第五軸が第二刃部材側に回動する。つまり、第一把持部材が第二把持部材から離隔する。従って、本構成のハサミでは、第一把持部材と第二把持部材とを開く際に、第一把持部材と第二把持部材とが互いに離隔する動作を連動させることができる。第一把持部材と第二把持部材とを閉じる場合も同様に、開く場合の逆動作で第一把持部材と第二把持部材とが互いに接近する動作を連動させることができる。
【００１２】
請求項３の発明にかかるハサミは、上記構成に加えて
「前記第二刃部材に、前記第二軸からの距離が前記第一軸及び前記第三軸間の距離と等しく、且つ前記閉状態において前記第二軸を通り刃先と直交する直線よりも刃元寄りで、前記第四軸よりも切先寄りに設けられた第六軸を具備し、
前記第一連結部材が前記第二軸及び前記第四軸に軸支される場合と、前記第二軸及び前記第六軸に軸支される場合とに変更可能である」ものである。
【００１３】
本構成のハサミは、第六軸を具備しており、第一連結部材が第二軸及び第四軸に軸支される場合と、第二軸及び第六軸に軸支される場合とに変更することにより、引切りと、従来のハサミと同様に刃元側を回動中心として第一刃部材と第二刃部材を開閉する切り方（以下、鋏切りと称する）とに変更することができる。引切りをする場合は、上記のように、第一連結部材を第四軸に取付ける。鋏切りをする場合は、第一連結部材を第六軸に取付ける。第二軸と第六軸を結ぶ直線は、第一軸と第三軸を結ぶ直線よりも刃先に対して直交に近い状態で交差している。この状態で第一把持部材と第二把持部材を開くと、第一連結部材の回動に伴い第一刃部材から離隔する第六軸の距離は、連結部の回動により第一刃部材から離隔する第三軸よりも小さくなる。従って、刃元側よりも切先側が大きく離隔する。切先側が大きく離隔した第一刃部材と第二刃部材の間に対象物を位置させて第一把持部材と第二把持部材とを閉じると、第二刃部材の切先側が第一刃部に接近し、鋏切りをすることができる。
【発明の効果】
【００１４】
以上のように、本発明の効果として、直線状の刃先を刃元側に移動させて引切りができるハサミを提供することができる。
【図面の簡単な説明】
【００１５】
【図１】本発明の第一実施形態であるハサミの正面図である。
【図２】図１のハサミの（ａ）は第一把持部と一体の第一刃部材、及び第二刃部材、（ｂ）は第二把持部材、（ｃ）は第一連結部材の平面図である。
【図３】図１のハサミの動作を説明する説明図である。
【図４】本発明の第二実施形態であるハサミで引切りをする場合の構成を示す（ａ）は正面図、（ｂ）は背面図である。
【図５】図４のハサミの（ａ）は第一刃部材及び第二刃部材、（ｂ）は第一把持部材、（ｃ）は第二把持部材、（ｄ）は第一連結部材、（ｅ）は第二連結部材の平面図である。
【図６】図４のハサミの動作を説明する説明図である。
【図７】本発明の第二実施形態であるハサミで鋏切りをする場合の構成を示す正面図である。
【図８】図７のハサミの動作を説明する説明図である。
【発明を実施するための形態】
【００１６】
以下、本発明の第一実施形態及び第二実施形態であるハサミ１，２について図１乃至図８を用いて説明する。
【００１７】
第一実施形態のハサミ１は、図１乃至図３に示すように、第一刃部材１１ａと、閉状態において第一刃部材１１ａと切先の位置を合わせると共に刃先を当接させる第二刃部材１２と、第一刃部材１１ａに設けられる第一軸３１及び第二軸３２と、第二刃部材１２に設けられる第三軸３３及び第四軸３４と、第一刃部材１１ａと一体から成る第一把持部材２１ａと、第一軸３１及び第三軸３３に軸支される連結部４０を有する第二把持部材２２と、一端側を第二軸３２に、他端側を第四軸３４に軸支される第一連結部材４１とを具備している。
【００１８】
第一刃部材１１ａと第二刃部材１２は、それぞれ金属製であり、刃先が直線状に形成されている。また、第一刃部材１１ａの刃元からは、長棒状の第一把持部材２１ａが延びている。第一把持部材２１ａの端部にはグリップ１０１が取付けられている。
【００１９】
図２（ａ）に示すように、第一刃部材１１ａは、貫通した孔部５１，５２を有している。孔部５２は、孔部５１よりも刃元寄りに設けられていると共に、第一刃部材１１ａの刃先からの距離が孔部５１と等しい。従って、孔部５１と孔部５２を結ぶ直線は、第一刃部材１１ａの刃先と平行である。
【００２０】
第二刃部材１２は、孔部５３，５４を有している。孔部５４は、孔部５３よりも刃元寄りに設けられていると共に、刃先からの距離が孔部５３と等しい。従って、孔部５３と孔部５４を結ぶ直線は、第二刃部材１２の刃先と平行である。そして、図２（ａ）に示すように、第一刃部材１１ａと第二刃部材１２とを互いの切先の位置を合わせて刃先を当接させた際に、孔部５３は孔部５１よりも刃元寄りに設けられている。従って、孔部５１と孔部５３とを結ぶ直線は、第一刃部材１１ａと第二刃部材１２の刃先に対して斜交している。また、孔部５２と孔部５４とを結ぶ直線は、孔部５１と孔部５３とを結ぶ直線と平行であると共に、それぞれの直線の長さＬ１，Ｌ２は等しい。
【００２１】
第二把持部材２２は、図２（ｂ）に示すように、長棒状であり、一方の端部には連結部４０が屈曲して設けられていると共に、他端にグリップ１０２が取付けられている。連結部４０は、第二把持部材２２と一体で形成されている。連結部４０の先端近傍には、貫通した孔部７１設けられていると共に、孔部７１から離れた位置に貫通した孔部７２が設けられている。また、孔部７１及び孔部７２間の長さＬ３は、長さＬ１及びＬ２と等しい。
【００２２】
第一連結部材４１は、図２（ｃ）に示すように、細長い平板状であり、二個の貫通した孔部８１，８２が長さ方向に離れて設けられている。また、孔部８１及び孔部８２間の長さＬ４は、長さＬ１乃至Ｌ３と等しい。
【００２３】
第一軸３１、第二軸３２、第三軸３３、第四軸３４はそれぞれ、雄ネジを有するボルトと、ボルトが挿通されるワッシャと、ボルトの雄ネジと螺合する雌ネジが形成された孔部を有するナットから構成されている。従って、第一軸３１乃至第四軸３４は、それぞれ着脱可能に取付けられている。
【００２４】
第一実施形態のハサミ１の各部材の組付けについて図１及び図２を用いて説明する。まず、第二把持部材２２を第一刃部材１１ａ及び第二刃部材１２の正面側に配設する。次に、第一刃部材１１ａの孔部５１と連結部４０の孔部７１と、第一刃部材１１ａの背面及び連結部４０の正面にそれぞれ配設した二個のワッシャとにボルトを挿通する。そして、ボルトの雄ネジにナットを螺合して第一刃部材１１ａと連結部４０とを回動可能に留付けて第一軸３１を構成する。同様に、第二刃部材１２の孔部５３と連結部４０の孔部７２に挿通されたボルトにナットを螺合して第三軸３３を構成する。次に、第一連結部材４１を第一刃部材１１ａ及び第二刃部材１２の正面側に配置する。そして、第一刃部材１１ａの孔部５２と第一連結部材４１の孔部８１に挿通されたボルトにナットを螺合して第二軸３２を構成する。最後に、第二刃部材１２の孔部５４と第一連結部材４１の孔部８２に挿通されたボルトにナットを螺合して第四軸３４を構成する。
【００２５】
従って、本実施形態のハサミ１の閉状態において、第一刃部材１１ａと第二刃部材１２は、互いの切先の位置を合わせて刃先を当接させている。第一刃部材１１ａと一体で形成された第一把持部材２１ａは、第一把持部材１１ａの刃元側に延びている。第二把持部材２２は、連結部４０が第一軸３１と第三軸３３とに軸支されていると共に、第二刃部材１２の刃元側に延びている。また、第一連結部材４１は、第二軸３２と第四軸３４に軸支されている。なお、連結部４０が屈曲して設けられていることにより、第二把持部材２２は第一把持部材２１ａと接近する。これにより、閉状態のハサミ１を運搬しやすく、収納する際に収納スペースを小さくすることができる。
【００２６】
第一刃部材１１ａ及び第二刃部材１２の孔部５１乃至孔部５４の位置関係により、第一軸３１と第二軸３２を結ぶ直線は第一刃部材１１ａの刃先に対して平行であると共に、第三軸３３と第四軸３４を結ぶ直線は第二刃部材１２の刃先に対して平行である。また、第一軸３１と第三軸３３を結ぶ直線と、第二軸３２と第四軸３４を結ぶ直線は平行であり、それぞれ直線の長さはＬ１となる。従って、ハサミ１の閉状態において、第一軸３１乃至第四軸３４は、一対の辺の長さがＬ１である平行四辺形を形成するように配置されている。
【００２７】
第一実施形態のハサミ１の第一把持部材２１ａと第二把持部材２２とを開くと図３に示すように動作する。第二把持部材２２は、第一軸３１を回動中心として回動する。従って、連結部４０と連結された第三軸３３が、第一軸３１を回動中心とし、Ｌ１を半径とする円の円周上を切先側へ回動する。同時に、第一連結部材４１と連結された第四軸３４は、第二軸３２を回動中心とし、Ｌ１を半径とする円の円周上を切先側へ回動する。つまり、第一軸３１と第三軸３３を結ぶ直線と、第二軸３２と第四軸３４を結ぶ直線は、回動時も平行状態を維持する。従って、第二刃部材１２の刃先が第一刃部材１１ａの刃先に対して平行状態を維持しつつ切先側に移動すると共に離隔する。このため、図３に示すように、開状態では第一刃部材１１ａと第二刃部材１２の切先の位置がずれた状態となる。
【００２８】
第一把持部材２１ａと第二把持部材２２とを閉じる場合は、開く場合と逆動作となる。具体的には、第二把持部材２２の回動に伴い、第三軸３３が第一軸３１を回動中心として刃元側へ回動する。同時に、第四軸３４が第二軸３２を回動中心として刃元側へ回動する。つまり、閉じる場合も第一軸３１と第三軸３３を結ぶ直線と、第二軸３２と第四軸３４を結ぶ直線とが平行状態を維持して回動する。
【００２９】
従って、本実施形態のハサミ１では、開状態にした第一刃部材１１ａと第二刃部材１２の刃先間に対象物を位置させて第一把持部材２１ａと第二把持部材２２とを閉じることにより、第二刃部材１２の刃先を第一刃部材１１ａの刃先に対して平行状態を維持しつつ、刃元側に移動させながら対象物に切込ませることができるため、引切りをすることができる。
【００３０】
ここで、開状態において第一軸３１と第三軸３３を結ぶ直線と、第二軸３２と第四軸３４を結ぶ直線とが第一刃部材１１ａ及び第二刃部材１２の刃先に対して直交するときに、第一刃部材１１ａと第二刃部材１２の刃先が最も離隔する。このため、第一軸３１乃至第四軸３４を刃先から更に離して設ける、または、第一軸３１及び第二軸３２を更に切先寄りに設ける、或いは、第三軸３３及び第四軸３４を更に刃元寄りに設けて、第一軸３１及び第三軸３３間の距離と、第二軸３２及び第四軸３４間の距離とを長くすることにより、第一刃部材１１ａと第二刃部材１２をより離隔させることができる。
【００３１】
なお、本実施形態のハサミ１の組付けは上記の手順に限らず、例えば、第一連結部材４１を先に組付けることもできる。この際、第二把持部材２２と第一連結部材４１は、第一刃部材１１ａ及び第二刃部材１２の背面側に組付けてもよい。また、第一軸３１乃至第四軸３４は、リベットや、あるいは、両端に雌ネジが形成された孔部を有する軸棒と、軸棒よりも大径であり、雌ネジと螺合する雄ネジを有する二個の部材から構成されるものであってもよい。
【００３２】
次に、第二実施形態のハサミ２について、図４乃至図８を用いて説明する。本実施形態のハサミ２は、引切りハサミと鋏切りハサミとに変更できる点で第一実施形態のハサミ１と相違している。ここでは、第一実施形態と同様の構成については同一の符号を付し、詳細な説明は省略する。
【００３３】
本実施形態のハサミ２では、第一把持部材２１ｂが第一刃部材１１ｂと別体から成ると共に、第二軸３２に軸支されている。また、第一実施形態のハサミ１の構成に加えて、第一把持部材２１ｂに設けられた第五軸３５と、第五軸３５と第三軸３３とに軸支される第二連結部材４２と、第二刃部材１２に着脱可能に設けられた第六軸３６とを具備している。そして、第一連結部材４１は、第二軸３２及び第四軸３４に軸支される場合と、第二軸３２及び第六軸３６に軸支される場合とに変更可能である。
【００３４】
本実施形態のハサミ２も、第一刃部材１１ｂと第二刃部材１２は、それぞれ金属製であり、刃先が直線状に形成されている。
【００３５】
図５（ａ）に示すように、第一刃部材１１ｂは、第一実施形態のハサミ１と同様に貫通した孔部５１，５２を有している。
【００３６】
第二刃部材１１は、孔部５３，５４，５５を有している。孔部５３，５４は、第一実施形態のハサミ１と同一の構成である。孔部５５は、孔部５３と孔部５４との間に設けられている。ここで、閉状態において孔部５２と孔部５５とを結ぶ直線の長さはＬ１と等しい。また、孔部５５は、孔部５２を通り刃先と直交する直線よりも刃元寄りに設けられている。
【００３７】
第一把持部材２１ｂは、図５（ｂ）に示すように長棒状であり、一方の端部にグリップ１０１が取付けられていると共に、他端に貫通した孔部６１，６２が設けられている。孔部６１は、先端近傍に設けられており、孔部６２は孔部６１よりもグリップ１０１寄りに設けられている。
【００３８】
図５（ｃ）及び図５（ｄ）に示すように、第二把持部材２２と、第一連結部材４１は、第一実施形態のハサミ１の第二把持部材２２、及び第一連結部材４１とそれぞれ同一の構成である。
【００３９】
第二連結部材４２は、図５（ｅ）に示すように、細長い平板状であり、二個の貫通した孔部９１，９２が長さ方向に離れて設けられている。
【００４０】
第五軸３５、及び第六軸３６も第一軸３１乃至第四軸３４と同様に、雄ネジを有するボルトと、ボルトが挿通されるワッシャと、ボルトの雄ネジに螺合する雌ネジが形成された孔部を有するナットから構成されている。
【００４１】
本実施形態のハサミ２は、第一連結部材４１が第二軸３２及び第四軸３４に軸支される場合と、第二軸３２及び第六軸３６に軸支される場合とに変更することにより、引切りハサミと鋏切りハサミとに変更することができる。
【００４２】
まず、引切りハサミについて、図４を用いて説明する。閉状態において、第一刃部材１１ｂと第二刃部材１２は、互いの切先の位置を合わせて刃先を当接させている。第一連結部材４１は、第一刃部材１１ｂ、及び第二刃部材１２の正面の刃元寄りに配設されている。第一把持部材２１ｂは、第一連結部材４１に重ねて、第一刃部材１１ｂの正面に配設されており、刃元側に延びている。第二連結部材４２は、第一把持部材２１ｂの先端寄りに重ねて配設されていると共に、第二刃部材１２の正面に配設されている。第二把持部材２２は、連結部４０が第一刃部材１１ｂ、及び第二刃部材１２の背面に配設されており、第二刃部材１２の刃元側に延びている。
【００４３】
第一軸３１は、第一刃部材１１ｂの孔部５１と、連結部４０の孔部７１と、第一刃部材１１ｂの正面及び連結部４０の背面にそれぞれ配設した二個のワッシャとにボルトを挿通し、ボルトの雄ネジにナットを螺合して第一刃部材１１ｂと連結部４０とを回動可能に留付けて構成されている。第二軸３２は、第一軸３１と同様に、第一刃部材１１ｂの孔部５２、第一連結部４１の孔部８１、及び第一把持部材２１ｂの孔部６２に挿通されたボルトにナットを螺合して構成されている。第三軸３３は、第二刃部材１２の孔部５３、連結部４０の孔部７２、第二連結部材４２の孔部９２に挿通されたボルトにナットを螺合して構成されている。第四軸３４は、第二刃部材１２の孔部５４と第一連結部４１の孔部８２に挿通されたボルトにナットを螺合して構成されている。第五軸３５は、第一把持部材２１ｂの孔部６１と第二連結部材４２の孔部９１に挿通されたボルトにナットを螺合して構成されている。
【００４４】
従って、第一実施形態のハサミ１と同様に、第二把持部材２２は、連結部４０が第一軸３１と第三軸３３とに軸支されていると共に、第一連結部材４１は、第二軸３２と第四軸３４に軸支されている。そして、第一把持部材２１ｂは、第二軸３２に軸支されており、第二連結部材４２は、第三軸３３と第五軸３５とに軸支されている。なお、第二把持部材２２を第一刃部材１１ｂ及び第二刃部材１２の背面側に取付けることにより、第一把持部２１ｂと第二把持部２２とを開閉する際に互いに干渉させずに回動させることができる。
【００４５】
ここで、第五軸３５は、閉状態において第二軸３２と第三軸３３とを結ぶ直線よりも切先寄りに設けられている。第五軸３５が第二軸３２と第三軸３３とを結ぶ直線よりも刃元寄りに設けた場合は、第一把持部材２１ｂを開く動きが第三軸３３を第一刃部材１１ｂ側に回動させて第二把持部材２２を閉じる動きとなり、回動できないためである。
【００４６】
引切りハサミとした第二実施形態のハサミ２の第一把持部材２１ｂと第二把持部材２２とを開くと図６に示すように動作する。第一把持部材２１ｂは第二軸３２を回動中心として回動し、第二刃把持部材２２は第一軸３１を回動中心として回動する。第二把持部材２２の回動により、連結部４０に連結されている第三軸３３が第一軸３１を回動中心とし、Ｌ１を半径とする円の円周上を切先側へ回動する。また、第一把持部材２１ｂの回動により、第五軸３５が第二軸３２を回動中心として第二刃部材１２と接近する方向に回動して、第二連結部材４２に連結された第三軸３３を、第一軸３１を回動中心として切先側に回動させる。つまり、第三軸３３と第五軸３５とが第二連結部材４２に連結されていることにより、第一把持部材２１ｂの回動する動作と第二把持部材２２の回動する動作が連動する。
【００４７】
第三軸３３の回動と同時に、第一連結部材４１に連結されている第四軸３４が第二軸３２を回動中心として切先側に回動する。つまり、第一軸３１と第三軸３３とを結ぶ直線と第二軸３２と第四軸３４とを結ぶ直線とが平行状態で回動する。従って、第二刃部材１２の刃先が第一刃部材１１ｂの刃先に対して平行状態を維持しつつ切先側へ移動すると共に離隔する。
【００４８】
第一把持部材２１ｂと第二把持部材２２を閉じる場合は、開く場合と逆動作となる。具体的には、第二把持部材２２の回動により、連結部４０と連結されている第三軸３３が第一軸３１を回動中心とし、Ｌ１を半径とする円の円周上を刃元側へ回動する。この動作は、第二連結部４２に連結された第五軸３５を、第二軸３２を回動中心として第二刃部材１２から離隔する方向に回動させる。また、第一把持部材２１ｂの回動により、第五軸３５は第二刃部材１２から離隔する方向に回動する。つまり、閉じる場合においても、第一把持部材２１ｂの回動する動作と第二把持部材２２の回動する動作が連動する。また、第三軸３３の回動と同時に、第一連結部材４１に連結された第四軸３４が第二軸３２を回動中心として刃元側に回動する。つまり、第二刃部材１２の刃先が第一刃部材１１ｂの刃先に対して平行状態を維持しつつ刃元側へ移動すると共に接近する。
【００４９】
従って、第一実施形態のハサミ１と同様に、開状態とした第一刃部材１１ｂと第二刃部材１２の刃先間に対象物を位置させて第一把持部材２１ｂと第二把持部材２２とを閉じることにより、第二刃部材１２の刃先を第一刃部材１１ｂの刃先に対して平行状態を維持しつつ刃元側に移動させながら対象物に切り込ませることができるため、引切りをすることができる。
【００５０】
ここで、第二軸３２及び第五軸３５間の長さと第五軸３５及び第三軸３３間の長さの和が、第一把持部材２１ｂと第二把持部材２２を開いて第一軸３１と第三軸３３を結ぶ直線が第一刃部材１１ｂの刃先に対して直交したときの第二軸３２及び第三軸３３間の長さよりも長い場合、第一刃部材１１ｂと第二刃部材１２とが最大に開く長さは、第一軸３１及び第三軸３３間の長さ（Ｌ１）となる。上記と逆の場合は、第二軸３２及び第五軸３５間の長さと第五軸３５及び第三軸３３間の長さの和により、第一刃部材１１ｂと第二刃部材１２とが最大に開く長さが決まる。
【００５１】
次に、鋏切りハサミについて図７を用いて説明する。鋏切りハサミでは、第四軸３４が取外されており、第六軸３６が第二刃部材１２の孔部５５と第一連結部４１の孔部８２とに挿通されたボルトにナットを螺合して構成されている。また、第六軸３６は閉状態において第二軸３２を通り刃先と直交する直線よりも刃元寄りに設けられている。
【００５２】
上記のように各部材を取付けた本実施形態のハサミ２の第一把持部材２１ｂと第二把持部材２２とを開くと図５に示すように動作する。第一把持部材２１ｂは第二軸３２を回動中心として回動し、第二刃把持部材２２は第一軸３１を回動中心として回動する。第二把持部材２２の回動により、連結部４０に連結された第三軸３３が第一軸３１を回動中心としてＬ１を半径とする円の円周上を切先側へ回動する。また、第一把持部材２１ｂの回動により、第五軸３５が第二刃部材１２と接近する方向に回動して第二連結部材４２に連結された第三軸３３を、第一軸３１を回動中心として切先側に回動させる。従って、鋏りハサミにおいても引切りハサミと同様に、第一把持部材２１ｂの回動する動作と第二把持部材２２の回動する動作が連動する。
【００５３】
また、第三軸３３の回動と同時に、第一連結部材４１に連結された第六軸３６が第二軸３２を回動中心として切先側へ回動する。ここで、閉状態において第二軸３２と第六軸３６を結ぶ直線は、第一軸３１と第三軸３３を結ぶ直線よりも刃先に対して直交に近い状態で交差している。これにより、回動によって第六軸３６が第一刃部材１１ｂの刃先から離隔する距離は、第三軸３３が第一刃部材１１ｂの刃先から離隔する距離よりも短くなる。つまり、刃元側よりも刃先側が大きく離隔する。第一把持部材２１ｂと第二把持部材２２とを閉じた場合は、開いた場合と逆動作となり、大きく離隔した刃先側が接近して閉状態となる。つまり、従来のハサミと同様に、刃元側を回動中心として第一刃部材１１ｂと第二刃部材１２とを開閉することができる。
【００５４】
従って、開状態とした第一刃部材１１ｂと第二刃部材１２の刃先の間に対象物を位置させて、第一把持部材２１ｂと第二把持部材２２を閉じることにより、第一刃部材１１ｂと第二刃部材１２とが刃元側を回動中心として回動するため、鋏切りをすることができる。
【００５５】
なお、第一刃部材１１ｂの刃元側が第二刃部材１２よりも短いことにより、第一刃部材１１ｂと第二刃部材１２とを開く際に、干渉させずに開くことができる。
【００５６】
また、第二軸３２を通り刃先と直交する直線上に第六軸３６が設けられている場合は、閉状態において第二軸３２と第六軸３６とを第一連結部材４１が最短距離で連結し、第一刃部材１１ｂと第二刃部材１２とがそれ以上開かない。そして、第二軸３２を通り刃先と直交する直線よりも切先寄りに第六軸３６が設けられている場合は、第六軸３６と第三軸３３とが第一刃部材１１ｂから離隔する回動の方向が互いに逆方向となるため回動できない。加えて、第六軸３６が第四軸３４よりも刃元寄りに設けられている場合は、切先側よりも刃元側が大きく開くため、ハサミとして好ましくない。
【００５７】
更に、第一連結部材４１の孔部８１及び孔部８２間の長さはＬ１であり、閉状態における第一刃部材１１ｂの孔部５２及び第二刃部材１２の孔部５４間の長さと、孔部５２及び孔部５５間の長さ（Ｌ１）が等しいことにより、図４の状態の本実施形態のハサミ２から鋏切りハサミに容易に変更することができる。具体的には、第四軸３４を取外した第一連結部材４１を、第二軸３２を回動中心として回動させて、孔部８２と第二刃部材１２の孔部５５の位置を合わせる。そして、第一連結部材４１の孔部８２と孔部５５と挿通させたボルトにナットを螺合して第六軸３６を構成する。鋏切りハサミから引切りハサミに変更する場合も逆の手順により行うことができる。なお、第六軸３６は、閉状態において第二軸３２を通り刃先と直交すると直線より刃元寄りで、第四軸３４を通り刃先と直交する直線より切先寄りであれば任意の位置に設けることができる。この場合は、第二軸３２と第四軸３４を連結する連結部材に加えて、第二軸３２と第六軸３６とを連結する連結部材を更に具備するものとする。
【００５８】
上記のように、第一実施形態のハサミ１は、第一把持部材２０と第二把持部材２１の開閉により、第二刃部材１２の刃先が第一刃部材１１ａに対して平行状態を維持しつつ切先側へ移動して開くと共に、刃元側に移動して閉じるため、引切りをすることができる。
【００５９】
第二実施形態のハサミ２は、第一連結部材４１を第二軸３２及び第四軸３４に取付けることにより、第一実施形態のハサミ１と同様に引切りをすることができる。また、第一連結部材４１を第二軸３２及び第六軸３６に取付けた場合に鋏切りすることができる。従って、切断する対象物の堅さ等に応じた最適な切り方で切ることができる。
【００６０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６１】
例えば、上記の実施形態のハサミは、第一連結部材４１を第二軸３２及び第四軸３３に取付ける場合と、第二軸３２及び第六軸３５に取付ける場合とで、引切りハサミと鋏切りハサミとに変更する構成であるが、第二刃部材１２に、第一刃部材１１ｂの孔部５２を中心とし、半径がＬ１の円の円周上に沿った長孔が設けられていてもよい。この場合は、長孔の範囲で軸の位置を任意に変更することができる。
【符号の説明】
【００６２】
１  ハサミ
１１ａ，１１ｂ  第一刃部材
１２  第二刃部材
２１ａ，２１ｂ  第一把持部材
２２  第二把持部材
３１  第一軸
３２  第二軸
３３  第三軸
３４  第四軸
３５  第五軸
３６  第六軸
４０  連結部
４１  第一連結部材
４２  第二連結部材
【図１】
2016135206.tif 000003
【図２】
2016135206.tif 000004
【図３】
2016135206.tif 000005
【図４】
2016135206.tif 000006
【図５】
2016135206.tif 000007
【図６】
2016135206.tif 000008
【図７】
2016135206.tif 000009
【図８】
2016135206.tif 000010